【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
車両内で用いられる回転シート装置であって、
シート幅方向に隣り合って配置され、着座可能な第１シート部及び第２シート部を有する着座シートと、
該着座シートを車体フロアに対してスライド移動可能に連結するシートスライド機構と、
前記着座シートを車体フロアに対して回転可能に連結するシート回転機構と、を備え、
前記シートスライド機構は、前記着座シートをシート前後方向にスライド移動させるために、前記車体フロアに取り付けられ、シート前後方向に延びているスライドレールを有し、
前記シート回転機構は、前記着座シートを回転させるために、前記車体フロアにおいて前記スライドレールよりもシート幅方向の外側に取り付けられているガイドレールを有していることを特徴とする回転シート装置。
【請求項２】
前記ガイドレールは、前記車体フロアにおいて前記スライドレールと接続して延びていることを特徴とする請求項１に記載の回転シート装置。
【請求項３】
前記ガイドレールは、シート幅方向の外側に突出するように湾曲しながら延びていることを特徴とする請求項１又は２に記載の回転シート装置。
【請求項４】
前記ガイドレールは、シート前後方向において異なる位置に配置される第１ガイドレール及び第２ガイドレールを有し、
前記第１ガイドレールと前記第２ガイドレールとが所定位置において連結されていることを特徴とする請求項１乃至３のいずれか１項に記載の回転シート装置。
【請求項５】
前記シート回転機構は、前記スライドレール上に取り付けられ、上下方向に延びて、前記着座シートを回転可能に連結するシート回転軸を有し、
前記着座シートは、該着座シートの下端部分に設けられたスライダが前記シート回転軸を中心として前記ガイドレール上を移動することで、前記車体フロアに対して回転可能となっていることを特徴とする請求項１乃至４のいずれか１項に記載の回転シート装置。
【請求項６】
前記スライダは、前記シート回転軸よりも直径が小さいことを特徴とする請求項５に記載の回転シート装置。
【請求項７】
前記スライダは、前記シート回転軸よりもシート後方に配置されていることを特徴とする請求項５又は６に記載の回転シート装置。
【請求項８】
前記ガイドレールは、少なくとも一部が前記着座シートよりもシート幅方向の外側に延びていることを特徴とする請求項１乃至７のいずれか１項に記載の回転シート装置。
【請求項９】
前記着座シートが所定位置まで回転したときに、前記着座シートのシート幅方向の端部が、前記ガイドレールよりもシート幅方向の外側に突出していることを特徴とする請求項１乃至８のいずれか１項に記載の回転シート装置。
【請求項１０】
請求項１乃至９のいずれか１項に記載の回転シート装置を備えていることを特徴とする車両。
【手続補正２】
【補正対象書類名】明細書
【補正対象項目名】発明の名称
【補正方法】変更
【補正の内容】
【発明の名称】回転シート装置及び車両
【手続補正３】
【補正対象書類名】明細書
【補正対象項目名】０００１
【補正方法】変更
【補正の内容】
【０００１】
本発明は、回転シート装置及び車両に係り、特に、隣り合って配置された着座シート同士の位置関係を配慮したシートアレンジが可能な回転シート装置及び車両に関する。
【手続補正４】
【補正対象書類名】明細書
【補正対象項目名】０００７
【補正方法】変更
【補正の内容】
【０００７】
前記課題は、本発明の回転シート装置によれば、車両内で用いられる回転シート装置であって、シート幅方向に隣り合って配置され、着座可能な第１シート部及び第２シート部を有する着座シートと、該着座シートを車体フロアに対してスライド移動可能に連結するシートスライド機構と、前記着座シートを車体フロアに対して回転可能に連結するシート回転機構と、を備え、前記シートスライド機構は、前記着座シートをシート前後方向にスライド移動させるために、前記車体フロアに取り付けられ、シート前後方向に延びているスライドレールを有し、前記シート回転機構は、前記着座シートを回転させるために、前記車体フロアにおいて前記スライドレールよりもシート幅方向の外側に取り付けられているガイドレールを有していること、により解決される。
【手続補正５】
【補正対象書類名】明細書
【補正対象項目名】０００８
【補正方法】変更
【補正の内容】
【０００８】
上記構成により、着座シートのシートアレンジ、シート構成を工夫して、着座者同士が心地良い環境で過ごすことが可能な回転シート装置を実現できる。
【手続補正６】
【補正対象書類名】明細書
【補正対象項目名】０００９
【補正方法】変更
【補正の内容】
【０００９】
このとき、前記ガイドレールは、前記車体フロアにおいて前記スライドレールと接続して延びていると良い。
また、前記ガイドレールは、シート幅方向の外側に突出するように湾曲しながら延びていると良い。
また、前記ガイドレールは、シート前後方向において異なる位置に配置される第１ガイドレール及び第２ガイドレールを有し、前記第１ガイドレールと前記第２ガイドレールとが所定位置において連結されていると良い。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
このとき、前記シート回転機構は、前記スライドレール上に取り付けられ、上下方向に延びて、前記着座シートを回転可能に連結するシート回転軸を有し、前記着座シートは、該着座シートの下端部分に設けられたスライダが前記シート回転軸を中心として前記ガイドレール上を移動することで、前記車体フロアに対して回転可能となっていると良い。
上記構成により、比較的シンプルな構成でシート回転機構を組み付けることができる。
【手続補正１３】
【補正対象書類名】明細書
【補正対象項目名】００１６
【補正方法】変更
【補正の内容】
【００１６】
このとき、前記スライダは、前記シート回転軸よりも直径が小さいと良い。
また、前記スライダは、前記シート回転軸よりもシート後方に配置されていると良い。
また、前記スライダは、前記シート回転軸よりもシート後方に配置されていると良い。
【手続補正１４】
【補正対象書類名】明細書
【補正対象項目名】００１７
【補正方法】変更
【補正の内容】
【００１７】
このとき、前記ガイドレールは、少なくとも一部が前記着座シートよりもシート幅方向の外側に延びていると良い。
また、前記着座シートが所定位置まで回転したときに、前記着座シートのシート幅方向の端部が、前記ガイドレールよりもシート幅方向の外側に突出していると良い。
【手続補正１５】
【補正対象書類名】明細書
【補正対象項目名】００１８
【補正方法】変更
【補正の内容】
【００１８】
また、前記課題は、上記回転シート装置を備えていることを車両によっても解決される。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
本発明によれば、着座シートのシートアレンジ、シート構成を工夫して、着座者同士が心地良い環境で過ごせる回転シート装置を実現できる。
また本発明によれば、着座シートとシート回転機構の連結剛性を向上できる。
また本発明によれば、着座シートの回転動作が良好になる。
また本発明によれば、比較的シンプルな構成でシート回転機構を組み付けできる。
また本発明によれば、一層多彩なシートアレンジが可能となって、着座者同士が心地良い環境で過ごせる。
また本発明によれば、車両内で一層多彩なシートアレンジ、シート構成が可能となる。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】